(57)【要約】【課題】  夜間に動物を認識することが容易にできる愛玩動物用帯体を提供すること。【解決手段】  帯材２とこの帯材２の端部を止める止め具３とを備え、この止め具３と前記帯材２との係止部５を除く外面側のほぼ全面に、マイナスイオンを発生する鉱物微粉末を均一分散状態で含有させた蓄光樹脂材９を設ける。【選択図】  図１
0003115539.tif 000002
【実用新案登録請求の範囲】
【請求項１】
帯材と該帯材の端部を止める止め具とを備え、該止め具と前記帯材との係止部を除く外面側のほぼ全面に、マイナスイオンを発生する鉱物微粉末を均一分散状態で含有させた蓄光樹脂材を設けた愛玩動物用帯体。
【請求項２】
前記蓄光樹脂材を、首輪の係止部を除く外面側のほぼ全面に設けた請求項１に記載の愛玩動物用帯体。
【請求項３】
前記蓄光樹脂材を、胴輪の係止部を除く外面側のほぼ全面に設けた請求項１に記載の愛玩動物用帯体。
【請求項４】
前記蓄光樹脂材を、引き紐の係止部を除く外面側のほぼ全面に設けた請求項１に記載の愛玩動物用帯体。
【請求項５】
前記蓄光樹脂材を、頭絡の少なくとも鼻皮又は額皮のいずれか一方の、端部の係止部を除く外面側のほぼ全面に設けた請求項１に記載の愛玩動物用帯体。
【請求項６】
前記蓄光樹脂材を、手綱の係止部を除く外面側のほぼ全面に設けた請求項１に記載の愛玩動物用帯体。
【請求項７】
請求項１〜６のいずれか１項に記載の蓄光樹脂材を、アルミン酸金属塩を主成分とする蓄光材を樹脂基材と均一に混合した材料で形成した愛玩動物用帯体。
【考案の詳細な説明】
【技術分野】
【０００１】
本考案は、犬や猫、馬等の愛玩動物用の帯体（この明細書及び請求の範囲の書類中における「帯体」は、例えば、首輪、胴輪、引き紐、頭絡、手綱等の帯状の物をいう。）に関する。
【背景技術】
【０００２】
従来より、犬や猫、馬等の愛玩動物を飼う場合、飼い主が首輪や胴輪と引き紐、又は頭絡と手綱等の用具を用いて散歩させている。例えば、犬の場合には、飼い主が引き紐を首輪や胴輪につなぎ、この引き紐を持って散歩させている。また、猫の場合には首輪を付けておき、比較的自由に散歩等をさせている。さらに、馬の場合には、頭絡を付けて、この頭絡に手綱を付けて散歩させている。なお、この明細書及び請求の範囲の書類中における愛玩動物とは、例えば、犬や猫、馬等、家庭で飼う動物をいう。
【０００３】
そして、このような愛玩動物を夜間に散歩させる場合、自動車やバイク（以下「自動車等」という。）の運転手からの視認性を高めるために、首輪や引き紐の一部を発光させたり、自動車等のライトの光に反射するようにしている。
【０００４】
この種の従来技術として、蓄光材又は反射材を引き紐の適当な位置に複数設け、犬の散歩時に自動車等から視認されやすいように、これら蓄光材を発光させたり、反射材を反射させるようにしたものがある（例えば、特許文献１参照。）。
【０００５】
また、他の従来技術として、首輪の周囲や引き紐に１個またはそれ以上の発光要素を装着して、犬の散歩時に自動車等から視認されやすいように発光要素を発光させて、周囲に対して存在を明示するようしたものもある（例えば、特許文献２参照。）。
【特許文献１】特開平１０−２４８４２９号公報（第２頁、図１）
【特許文献２】特開２００３−１５８９３９号公報（第３頁、図１）
【考案の開示】
【考案が解決しようとする課題】
【０００６】
しかしながら、前記特許文献１は、引き紐の適当な位置に設けた複数の蓄光材又は反射材が発光又は反射するものであるため、視認性が悪く、しかも、反射材の場合には、自動車等が自らの光を反射する距離まで接近しなければ反射材が反射しないため、自動車等の運転手が動物の存在を認識するのが遅れ、自動車等を停止させる対応が遅れてしまう。
【０００７】
また、前記特許文献２でも、首輪の周囲や引き紐に装着した発光要素のみが発光するため、自動車等の運転手からの視認性は悪く、自動車等の運転手が動物の存在を認識するのが遅れ、自動車等を停止させる対応が遅れてしまう。
【０００８】
しかも、雨の日にはより視認性が悪くなり、自動車等の運転手が動物を認識するのが更に遅れると共に、その対応も遅れてしまう。
【０００９】
このように自動車等の運転手が散歩中の動物を発見するのが遅れて停止が遅れた場合、その動物が自動車等にはねられて、事故につながる場合がある。このことは、馬のような愛玩動物においても同様である。
【００１０】
さらに、前記特許文献２のように発光ダイオード等を発光させる場合、その電源となる電池も設けなければならず、電池交換等のためのメンテナンスに時間と労力を要する。その上、犬の首輪に用いた場合には、犬が発光ダイオード等を引っ掻いて壊す場合もあり、発光機能を維持できない場合もある。
【００１１】
一方、前記馬の場合には、牧場等の広大な土地で放牧している場合もあるが、このような場合に、夕方や暗くなってから馬を捜したりその馬の数を数えたりするのは難しい。
【００１２】
その上、このような動物用の用具において、動物の生理活動を活性化するような用具への関心もある。
【００１３】
そこで、本考案は、光に反射するものではなく自ら発光する蓄光樹脂材により、夜間に動物を容易に認識することができるとともに、マイナスイオンを発生する愛玩動物用帯体を提供することを目的とする。
【課題を解決するための手段】
【００１４】
前記目的を達成するために、本考案は、帯材と該帯材の端部を止める止め具とを備え、該止め具と前記帯材との係止部を除く外面側のほぼ全面に、マイナスイオンを発生する鉱物微粉末を均一分散状態で含有させた蓄光樹脂材を設けている。このように帯材の外面側の係止部を除くほぼ全面に蓄光樹脂材を設けることにより、夜間に蓄光樹脂材が発光して、自動車等の運転手が遠くから動物の存在を認識することができる。また、帯材の外面側のほぼ全面に蓄光樹脂材を設けているので、帯材が雨等に曝されるのを抑止することができる。しかも、この蓄光樹脂材がマイナスイオンを発生して、動物の生理活動を活性化することができる。
【００１５】
また、前記蓄光樹脂材を、首輪の係止部を除く外面側のほぼ全面に設ければ、首輪のほぼ全周で蓄光樹脂材が発光して、自動車等の運転手が遠くから動物の存在を認識することができる。
【００１６】
さらに、前記蓄光樹脂材を、胴輪の係止部を除く外面側のほぼ全面に設ければ、胴輪のほぼ全周で蓄光樹脂材が発光して、自動車等の運転手が遠くから動物の存在を認識することができる。
【００１７】
また、前記蓄光樹脂材を、引き紐の係止部を除く外面側のほぼ全面に設ければ、引き紐のほぼ全長で蓄光樹脂材が発光して、自動車等の運転手が遠くから動物と人の存在を認識することができる。
【００１８】
さらに、前記蓄光樹脂材を、頭絡の少なくとも鼻皮又は額皮のいずれか一方の、端部の係止部を除く外面側のほぼ全面に設ければ、頭絡の前部で蓄光樹脂材が発光して、遠くから馬の存在を認識することができる。
【００１９】
また、前記蓄光樹脂材を、手綱の係止部を除く外面側のほぼ全面に設ければ、手綱の外面側で蓄光樹脂材が発光して、遠くから動物の存在を認識することができる。
【００２０】
さらに、前記いずれかの蓄光樹脂材を、アルミン酸金属塩を主成分とする蓄光材を樹脂基材と均一に混合した材料で形成すれば、発酵時間が長く発光輝度の優れた玩動物用帯体を形成することができる。
【考案の効果】
【００２１】
本考案は、以上説明したような手段により、帯材の係止部を除く外面側のほぼ全面で蓄光樹脂材が発光するので、自動車等の運転手が遠くから動物の存在を容易に認識することが可能となる。
【考案を実施するための最良の形態】
【００２２】
以下、本考案の一実施の形態を図面に基づいて説明する。図１は本考案の第１実施の形態に係る首輪を示す平面図であり、図２は同首輪のII−II断面図、図３は同首輪の使用状態を示す斜視図である。この第１実施の形態は、愛玩動物用帯体として首輪に用いた例である。この首輪を使用する愛玩動物としては、主に犬や猫である。
【００２３】
図示するように、首輪１には、帯材２と止め具３とが設けられている。帯材２には、止め具３の反対側に複数の止め穴４が設けられた係止部５が形成されている。この係止部５に設けられた止め穴４を止め具３の挿入具６で係止することにより、首輪１の内径を所望の大きさで固定して使用される。また、止め具３には、帯材２の端部を通す挿通具７と、引き紐等を係止する連結環８とが設けられている。帯材２としては、皮革材料やナイロン材料等（ポリアミド、ポリエチレン、ポリプロピレン等の帯材や繊維状の材料を編んだもの等）が用いられる。
【００２４】
そして、この帯材２の外面側に、前記係止部５を除く外面をほぼ覆うように蓄光樹脂材９が設けられている。具体的には、係止部５に設けられた最も内側の止め穴４の近傍から、止め具３の近傍までの間に連続するように設けられている。この蓄光樹脂材９としては、合成樹脂基材に蓄光材を混合させるとともに、マイナスイオンを発生する鉱物微粉末を均一分散状態で含有させたものが用いられる。また、この蓄光樹脂材９を帯材２に取付ける方法としては、蓄光樹脂材９を帯材２に縫い付けるか、貼り付けるような取付け方が採用される。
【００２５】
前記蓄光樹脂材９の合成樹脂基材としては、その樹脂の種類は限定されるものではないが、コスト面、成形の容易性等を考慮して、例えばポリプロピレン、ポリエチレン、ポリスチレン、アクリロニトリル・ブタジニン・スチレン（ＡＢＳ）等のポリオレフィン系熱可塑性合成樹脂が好ましい。用途との関係において、弾性の保有が要求される場合には、エチレン・プロピレンゴム（ＥＰＤＭ）、スチレンブタジェン共重合系ゴム（ＳＢＲ）、ニトリルゴム（ＮＢＲ）、シリコーンゴム等の合成ゴムの使用が好ましい。特にシリコーンゴムは、硬度の調整が容易であり、種々の構成に用いるのに好ましい。
【００２６】
前記蓄光樹脂材９に混合される蓄光材としては、可及的輝度の高い発光と、長時間の持続性を示すものを選択して使用するのが好ましい。具体的には、アルミン酸ストロンチウム、珪素アルミン酸ストロンチウム、アルミン酸カルシウム等のアルミン酸金属塩を主成分とする蓄光材が好ましい。このようなアルミン酸金属塩を主成分とする蓄光材は、発光時間や発光輝度に優れており、一晩中、視認できる程度の輝度を有している。しかも合成樹脂になじみ易く、樹脂組成物の調整が容易である。また、蓄光材は樹脂基材と均一に混合するために蓄光顔料と称される微粉末状のものが好ましいが、均一混合を阻害しない限り粒状のものを用いることもできる。
【００２７】
さらに、マイナスイオンを発生する鉱物微粉末としては、エネルギー鉱物と総称される天然鉱物の微粉末、またはその１種ないし複数種類を含有するセラミックス微粉末である。特に、微粉末の態様において白色系のものが用いられる。白色系のものを用いることにより、樹脂基材中に分散含有させたときに、外部光の入射を妨げたり、内部に共存する蓄光材の発光を阻害しないようにできる。なお、この明細書及び特許請求の範囲の書類中における「白色系」とは、厳密に白色であることのみに限定されない。有彩色の淡色であっても、全体として白色に近く、作用面において比較的良好な光の反射性をもち、樹脂基材中での光の透過を著しく阻害しない程度の有色であれば「白色系」の概念に包含される。
【００２８】
ところで、マイナスイオンを発生する鉱物微粉末のうち、上記のような白色系を呈するものとして、本発明においては、特に天然放射性希土類鉱物を含むセラミック微粉末、及びリチアトルマリン微粉末の使用が推奨される。このセラミック微粉末は、常温静止状態においても比較的多くのマイナスイオンを発生すると共に、同時に遠赤外線の放出機能も有するので生理活動を活性化するのに好ましい。
【００２９】
具体的な鉱物微粉末の粒径としては、最大粒径において、樹脂基材中への均一な分散が困難となる０．１μｍ未満の極小微粉末から、マイナスイオン発生性能が劣る５０μｍの範囲に設定するのが好ましく、より好ましくは、１〜２０μｍ程度の範囲が好ましい。
【００３０】
また、この蓄光材を前記合成樹脂基材に混合すると共に着色料等を練り込んで蓄光樹脂材９の色や模様を任意に設定してもよい。蓄光樹脂材９を任意の色や模様にすることにより、飼い主の個性によって色や柄の異なる首輪１を自分の動物に着けることができる。
【００３１】
以上のように構成された首輪１によれば、図３に示すように、係止部５を除くほぼ首輪１の全周の広い面積で蓄光樹脂材９が発光するので、夜間に動物の存在を自動車等の運転手に遠くから容易に認識させることが可能となる。これにより、自動車等の運転手が回避行動を容易に行うことができ、動物を夜間の危険から守ることができる。また、蓄光樹脂材９に混入する蓄光材を長時間発光可能な材料とすることにより、認識が容易な状態を一晩中持続させることができる。
【００３２】
さらに、蓄光樹脂材９は雨に濡れても効果を持続するので、雨の夜の散歩でも犬や猫の存在を自動車等の運転手に認識させることが安定してできる。また、蓄光樹脂材９がマイナスイオンを発生して、動物の生理活動を活性化することができる。
【００３３】
しかも、この蓄光樹脂材９で帯材２の外面側の多くの面積を覆っているので、皮革やナイロン等で形成された帯材２が雨に曝されるのを蓄光樹脂材９で抑止して、帯材２を雨から保護することができる。
【００３４】
その上、皮革やナイロン等の帯材２の外面側を蓄光樹脂材９で覆っているので、例えば、犬や猫が帯材２の皮革やナイロン等をかきむしるのを保護することもできる。
【００３５】
なお、この実施の形態では蓄光樹脂材９を帯材２に縫い付けているが、蓄光樹脂材９を接着して帯材２の外面側に設けてもよく、蓄光樹脂材９を帯材２の外面側に設ける構成はこの実施の形態に限定されるものではない。
【００３６】
図４は、本考案の第２実施の形態に係る胴輪を示す平面図である。この実施の形態は、胴輪に用いた例である。この例では、犬の胴輪を例にしている。なお、前記第１実施の形態と同一の構成には同一符号を付して、詳細な説明は省略する。
【００３７】
図示するように、この例では、犬に取付けた胴輪１０の上部と側部の係止部５（図示する犬の上部位置と側部中間位置）を除くほぼ全面に蓄光樹脂材９が設けられている。この蓄光樹脂材９も、前記図２に示す首輪１と同様に、胴輪１０に縫い付けられている。
【００３８】
このように胴輪１０に蓄光樹脂材９を設けることにより、図示する犬や猫等に取付ければ、胴部において蓄光樹脂材９が発光して自動車等の運転手が遠くから犬や猫の存在を容易に認識することが可能となる。これにより、自動車等の運転手が回避行動を容易に行うことができ、犬や猫を夜間の危険から守ることができる。他の作用効果は前記第１実施の形態と同一であるため、詳細な説明は省略する。
【００３９】
図５は、本考案の第３実施の形態に係る引き紐を示す平面図である。この実施の形態は、引き紐に用いた例である。なお、前記第１実施の形態と同一の構成には同一符号を付して、詳細な説明は省略する。
【００４０】
図示するように、引き紐１１の場合は、先端に、首輪や胴輪と連結する止め具１３を備えた係止部５が設けられ、後端に手で持つ握り部１２が設けられている。この引き紐１１の場合、使用時に表裏の両面が上側又は下側に位置して両面が外面となるため、帯材２の表裏両面に蓄光樹脂材９が設けられている。この蓄光樹脂材９も、帯材２に縫い付けられている。
【００４１】
このように引き紐１１に蓄光樹脂材９を設けることにより、犬の引き紐１１が長手方向のほぼ全面で発光するので、自動車等の運転手が遠くから犬の存在や、その犬を散歩させている人の存在を容易に認識することが可能となる。これにより、自動車等の運転手が回避行動を容易に行うことができ、散歩する犬や散歩させている人を夜間の危険から守ることができる。他の作用効果は前記第１実施の形態と同一であるため、詳細な説明は省略する。
【００４２】
図６は、本考案の第４実施の形態に係る頭絡と手綱とを示す斜視図である。この実施の形態は、馬用の頭絡と手綱とに用いた例である。この実施の形態では、好ましい例として、馬用の頭絡１４の額皮１５の外面と、鼻皮１６の外面と、手綱とに蓄光樹脂材９を設けている。なお、前記第１実施の形態と同一の構成には同一符号を付して、詳細な説明は省略する。
【００４３】
図示するように、頭絡１４の前面に位置する額皮１５と鼻皮１６の左右両端部における係止部５を除くほぼ全面に蓄光樹脂材９が設けられている。この蓄光樹脂材９も、額皮１５と鼻皮１６との外面に縫い付けられている。
【００４４】
このように頭絡１４の額皮１５の外面と鼻皮１６の外面とに蓄光樹脂材９を設けることにより、馬の前面において蓄光樹脂材９が発光するので、自動車等の運転手が遠くから馬の存在を容易に認識することが可能となる。これにより、自動車等の運転手が回避行動を容易に行うことができ、馬を夜間の危険から守ることができる。
【００４５】
また、この頭絡１４とともに手綱１７にも蓄光樹脂材９を設けることにより、手綱１７の外画面においても蓄光樹脂材９が発光するので、馬の側面からでも容易に存在を認識することが可能となる。
【００４６】
さらに、馬を広大な土地で放牧している場合には、前記した頭絡１４を馬に取り付けて放牧しておくことにより、暗くなってから馬を捜さなければならないときに、発光する蓄光樹脂材９を捜せば容易に馬を見つけることができ、夜間でも放牧している馬を短時間で見つけることができる。
【００４７】
この第４実施の形態では、頭絡１４の額皮１５と鼻皮１６とに蓄光樹脂材９を設けた例を示したが、どちらか一方のみでもよい。この場合、鼻皮１６に設けた方が、毛で蓄光樹脂材９が隠れることがなくて好ましい。また、手綱１７にも設けているが、前記頭絡１４のみでも、この手綱１７のみでもよい。なお、他の前記第１実施の形態と同一の作用効果は、詳細な説明を省略する。
【００４８】
以上説明したように、前記実施の形態に係る首輪１，胴輪１０，引き紐１１，頭絡１４によれば、帯材２の係止部５を除く外面側のほぼ全面で蓄光樹脂材９が発光するので、夜間に自動車等の運転手が遠くから安定して動物の存在を認識することができ、しかも、雨の日でも安定した視認性を保つことができるので、自動車等の運転手は余裕を持って自動車等を停止させて、動物を夜間の危険から守って事故を未然に防ぐことが可能となる。
【００４９】
また、蓄光樹脂材９がマイナスイオンを発生して、動物の生理活動を活性化することができる。
【００５０】
さらに、蓄光樹脂材９によって帯材２の外面側のほぼ全面を覆っているので、帯材２の外面側を雨や犬等による引っ掻き傷から保護することができ、蓄光樹脂材９によって帯材２の外面保護も兼ねることができる。
【００５１】
なお、前述した実施の形態は一例を示しており、本考案の要旨を損なわない範囲での種々の変更は可能であり、本考案は前述した実施の形態に限定されるものではない。
【産業上の利用可能性】
【００５２】
本考案に係る愛玩動物用帯体は、蓄光材が発光して自動車等の運転手に動物の存在を安定して認識させることができるので、夜間に散歩をさせる動物の安全性を向上させたい帯体に利用できる。
【図面の簡単な説明】
【００５３】
【図１】本考案の第１実施の形態に係る首輪を示す平面図である。
【図２】図１に示すII−II断面図である。
【図３】図１に示す首輪の使用状態を示す斜視図である。
【図４】本考案の第２実施の形態に係る胴輪を示す平面図である。
【図５】本考案の第３実施の形態に係る引き紐を示す平面図である。
【図６】本考案の第４実施の形態に係る頭絡と手綱とを示す斜視図である。
【符号の説明】
【００５４】
１…首輪
２…帯材
３…止め具
４…止め穴
５…係止部
６…挿入具
７…挿通具
８…連結環
９…蓄光樹脂材
１０…胴輪
１１…引き紐
１２…握り部
１３…止め具
１４…頭絡
１５…額皮
１６…鼻皮
１７…手綱
【図１】
0003115539.tif 000003
【図２】
0003115539.tif 000004
【図３】
0003115539.tif 000005
【図４】
0003115539.tif 000006
【図５】
0003115539.tif 000007
【図６】
0003115539.tif 000008